(57)【要約】      （修正有）【課題】小さく折畳むことができて、携帯が容易な防災頭巾を提供する。【解決手段】折畳みが容易となる素材の表布を用い、これに補強布、裏布を重ねて一体的に縫製する。表裏布により開口部分が形成され、開口部分の縁部には、保持具を有する紐が設けられている。【選択図】図１
0003156280.tif 000002
【実用新案登録請求の範囲】
【請求項１】
折畳みを容易にする薄地部分が設けられ、かつ厚手の素材からなる表布と、これに重ねられて一体的に縫製される裏布および補強布とを有するとともに一体的に縫製された表裏布により顔露出用開口部分が形成されており、その開口部縁部に開口度合いの調節を行うために設けられ、かつその端部が外部に延長されている紐と、この紐の延長部分に設けられ開口を所望度合いに調整し保持するための保持具を有していることを特徴とする携帯用防災頭巾。
【考案の詳細な説明】
【技術分野】
【０００１】  この考案は防災頭巾に関するもので、特に携帯容易な防災頭巾に関するものである。
【背景技術】
【０００２】  従来の防災頭巾の多くは屋内にじょうびされるものがほとんどで外出時に持ち歩けるものがない。
【先行技術文献】
【特許文献】
【０００３】
【特許文献１】実用新案登録第３１４０３９５号
【考案の概要】
【考案が解決しようとする課題】
【０００４】  従来の防災頭巾は屋内に置いておくものが多く、サイズの大きいものが殆どであり、携帯するには向いていなかった。【０００５】地震等の災害時に人は必ずしも屋内に居る訳ではなく、街中、あるいは地下鉄構内に居る場合もある。ビルのガラスの落下、壁材の落下等の危険から身を守る為、携帯できる防災頭巾があれば望ましい。
【課題を解決するための手段】
【０００６】  折り畳み傘と同じように、折畳みが容易となる素材の表布を用い、これに補強布、裏布を重ねて構成し、コンパクトなサイズに折畳めるようにして持ち歩くなど携帯容易、あるいは任意の場所に保管することを可能としたものである。
【考案の効果】
【０００７】  サイズが小さい為、バッグに入れたり、車に搭載しておくなど常時携帯することができ、地震等の災害時に使用して落下物等の危険から頭部を守ることが容易にできる。また、コンパクトに折畳めるので屋内においても任意の場所に吊下げられ、場所を選ぶことなく緊急時に使用可能とすることができる。
【図面の簡単な説明】
【０００８】
【図１】本考案の携帯用防災頭巾の完成した状態を示す図である。
【図２】本防災頭巾の作製に用いる一対の表布を示す図である。
【図３】本防災頭巾の作製に用いる一対の裏布を示す図である。
【図４】本防災頭巾の作製に用いる頭頂部補強布を示す図である。
【図５】本防災頭巾の作製に用いる前立布を示す図である。
【図６】本防災頭巾の作製に用いる布テープを示す図である。
【図７】本防災頭巾の作製に用いる面ファスナーを示す図である。
【図８】本防災頭巾の作製に用いる紐を示す図である。
【図９】本防災頭巾の作製に用いる紐用バネ付ループエンドを示す図である。
【図１０】本防災頭巾をコンパクトに畳んだ状態を示す図である。
【図１１】本防災頭巾を展開した状態を示す図である。
【図１２】本防災頭巾の半分を縦半分に畳んだ状態を示す図である。
【図１３】本防災頭巾を左右双方から畳んだ状態を示す図である。
【図１４】本防災頭巾の下半部を上方に折畳んだ状態を示す図である。
【考案を実施するための形態】
【０００９】  折畳み傘のようにコンパクトに畳むことができ、持ち運びが可能になるようにした。また、サイズを小さくしてバッグに入れたり、車の中に置いておけるようにして、常時携帯し、何時でも何処でも使用できるようにしたものである。屋内においては滞在する機会が多い場所など任意の場所に、吊下げる等取り出しやすい状態で保管しておけば緊急時においても使用が容易である。
【実施例】
【００１０】  以下、図面に従って一実施例を説明する。図１は本考案による防災頭巾を側面から見た図であり、図１において１は完成した携帯用防災頭巾である。【００１１】  図２から図９は本案による防災頭巾を作製するために用いる部材をそれぞれ示したものであり、図２において、２および３は対をなす左右表布であり、木綿布が用いられキルティングされた厚手の布からなっている。サイズとしては、例えば、縦５３ｃｍ、上部横幅１７ｃｍ、下部横幅５６ｃｍ程度が好適である。また、タックを例えば片面６本形成し、この薄地部分を設けることにより容易に折畳めるようにし、さらに、開閉口の目印とするため表側からタックを形成している。【００１２】  図３において、４および５は対をなす左右裏布であり、木綿生地などが用いられる。サイズとしては、例えば、縦５２ｃｍ、上部横幅１３ｃｍ、下部横幅５０ｃｍ程度が好適である。図３に破線で示すように両側の端縁部同士が縫い合わされる。【００１３】  図４において、６および７は対をなす左右の頭頂部補強布であり、ポリエステル不織布などが用いられる。サイズとしては、例えば、縦３０ｃｍ、上部横幅１３ｃｍ、下部横幅２３ｃｍ程度が好適である。この補強布６、７は表布２、３と裏布４、５との間に挟みこまれるようにして表裏の各布地と一体的に縫製される。【００１４】  図５において、８は前立布を示し、キルティングされた木綿布が用いられる。サイズとしては、縦１０２ｃｍ、横幅１０ｃｍ程度が好適である。この前立布は頭巾の前面開口部の縁の部分に縫いつけられる。【００１５】  図６において、９は木綿製の杉綾テープを示している。サイズとしては縦方向６５ｃｍ程度が好適である。この杉彩テープは、図３に示すように下縁部から２０ｃｍの位置に縫いつけられる。裏布４、５に縫いつけられることにより後述する丸紐を挿入して通すための空洞を形成する。【００１６】  図７において、１０および１１は対をなす雌雄の面ファスナーを示しており、雄雌それぞれ縦方向２３ｃｍ程度の長さが好適である。面ファスナーを用いることにより、折畳んだコンパクトな状態を保つこと、使用時に短時間で広げることができ展開容易となる。【００１７】  図８において、１２は丸紐であり、長さは１１８ｃｍ程度が好適である。紐１２は頭巾の開口部縁部分に沿ってその内部に挿通されている。紐１２のうち外部に延長して露出する部分は図９に示すような保持具１３（例えば、バネ付きループエンドのようなもの）にて相互にばらばらにならないよう束ねられ、丸紐に沿って自由に移動できる保持具１３を所定の位置で固定することにより頭巾の前面開口部を必要な開口部分を残して閉じることができるようになっている。それにより、開口度合いを調整し、使用する際に首元で適切にフィットするよう閉め具合を適切に調節できる。不使用時、非使用時には紐１２と保持具１３を適宜用いてループ状部分を形成し、そのループ状部分を利用して取り出しやすい場所につるしておくことも可能となる。【００１８】  図１０は、本考案による防災頭巾１をコンパクトに折畳んだ状態を示しており、縦約２７ｃｍ、横約１３ｃｍ、厚さ約６ｃｍ程度に畳まれている。【００１９】  図１１は、本考案による防災頭巾１を広げ���状態を示しており、これを図１０のようにコンパクトに畳むためには、例えば、図１２に示すように右半分を中央部分に重ねるように折畳み、同様に図１３に示すように左半分も中央部分に重ねるよう折畳む。【００２０】  その後、図１４に示すように、下方部分を中央部分に向けて上方に折畳むと図１０に示すようにコンパクトに折畳むことができる。
【符号の説明】
【００２１】１    携帯用防災頭巾
２    左表布
３    右表布
４    左裏布
５    右裏布
６    左頭頂部補強布
７    右頭頂部補強布
８    前立布
９    杉綾テープ
１０  雌面ファスナー
１１  雄面ファスナー
１２  丸紐
１３  バネ付きループエンド
【図１】
0003156280.tif 000003
【図２】
0003156280.tif 000004
【図３】
0003156280.tif 000005
【図４】
0003156280.tif 000006
【図５】
0003156280.tif 000007
【図６】
0003156280.tif 000008
【図７】
0003156280.tif 000009
【図８】
0003156280.tif 000010
【図９】
0003156280.tif 000011
【図１０】
0003156280.tif 000012
【図１１】
0003156280.tif 000013
【図１２】
0003156280.tif 000014
【図１３】
0003156280.tif 000015
【図１４】
0003156280.tif 000016